(57)【要約】【課題】トラップ内により長時間留まり、確実にトラップ近傍の汚れを洗浄することが可能な配管用洗浄剤を提供することを目的とする。【課題を解決するための手段】略棒状で水に溶解する固形の洗浄剤で構成され、横断面の最大径が３〜２０ｍｍで、長さが３０〜１００ｍｍであること、を特徴とする配管用洗浄剤。【選択図】図１
2019011498.tif 000002
【特許請求の範囲】
【請求項１】
略棒状で水に溶解する固形の洗浄剤で構成され、
横断面の最大径が３〜２０ｍｍで、長さが３０〜１００ｍｍであること、
を特徴とする配管用洗浄剤。
【請求項２】
側面が曲面状であること、
を特徴とする請求項１に記載の配管用洗浄剤。
【請求項３】
酸として、フマル酸、クエン酸、ホウ酸、塩素化イソシアヌル酸塩、ジクロロイソシアヌル酸塩、トリクロロイソシアヌル酸、イソチオシアン酸アリル、又は過硫酸水素カリウムを含むこと、
を特徴とする請求項１又は２に記載の配管用洗浄剤。
【請求項４】
１ｇあたりの水への溶解速度が、２５℃の水中環境下で１日間〜３日間の範囲であること、
を特徴とする請求項１〜３のうちいずれかに記載の配管用洗浄剤。
【発明の詳細な説明】
【技術分野】
【０００１】
本発明は、配管に接続されたトラップ内に留まり、汚れの洗浄を行う配管用洗浄剤に関する。
【背景技術】
【０００２】
従来、台所や洗面所、浴室等の排水口及び排水管内部、特にトラップ近傍は、継続した使用に伴って雑菌等の繁殖によるスライム状物の付着、水垢等による汚れの付着が生じる。このような汚れを簡便に洗浄する手法として、二酸化炭素ガスを発生させ、この泡を汚れに接触させることにより該汚れを洗浄する製剤や、界面活性剤等を添加し、これらを強化しつつ除菌、漂白、消臭等を同時に行うものも存在する（例えば特許文献１参照）。  
【０００３】
上記のような従来の洗浄剤は、配管に投入された後、該配管に接続されたトラップに侵入し、貯留された水と接触することにより溶解し、タラップ近傍の除菌、漂白、消臭、洗浄等を行うものである。具体的には、配管からトラップ内に投入して所定の時間（数分から数時間程度）待機した後、排水口（川上側）から別途水をトラップに流入させることにより、洗浄した汚れと共に川下側に移送させる。
【先行技術文献】
【特許文献】
【０００４】
【特許文献１】特開２００２−２９５８９４号公報
【発明の概要】
【発明が解決しようとする課題】
【０００５】
しかしながら、上記の従来の洗浄剤では、例えば層状に積層された汚れ等に対しては十分な洗浄が行えない場合があった。また、洗浄できずに残った汚れが雑菌を含んでいれば、当該雑菌から再度スライム状物が発生する恐れもあり、確実な洗浄を行うのは困難だった。
【０００６】
そこで、洗浄剤の形状に着目すると、川上からの流水が追加された状態では洗浄剤がトラップ内に留まることが困難であり、また、水による溶解速度が速いため、長時間を掛けて確実に汚れを洗浄することが難しかった。  
【０００７】
そこで、本発明は、トラップ内により長時間留まり、確実にトラップ近傍の汚れを洗浄することが可能な配管用洗浄剤を提供することを目的とする。
【課題を解決するための手段】
【０００８】
上記の課題を解決すべく、本発明は、
略棒状で水に溶解する固形の洗浄剤で構成され、
横断面の最大径が３〜２０ｍｍで、長さが３０〜１００ｍｍであること、
を特徴とする配管用洗浄剤を提供する。
【０００９】
このような構成を有する本発明の配管用洗浄剤は、配管の川上側からトラップ内に流れ込む排水の水流に対抗してより当該トラップ内に留めることができる。より具体的には、本配管用洗浄剤がトラップの内壁に対して複数点で接触することができるため、摩擦抵抗が向上し、本配管用洗浄剤の移動を抑制することができる。
【００１０】
また、本配管用洗浄剤の長手方向の寸法がトラップの内径より大きい場合は、トラップの屈曲位置で物理的に引っ掛かるため、更に確実に当該トラップ内に留めることが可能である。これにより、本配管用洗浄剤がトラップ内に貯留した水に徐々に溶解され、該トラップの内壁に付着した汚れの分解及び剥離を複数回繰り返し、より確実にトラップ内の汚れを洗浄する。
【００１１】
また、上記の本発明の配管用洗浄剤は、側面が曲面状部分を有するのが好ましい。
このような構成によれば、配管用洗浄剤を使用する際に把持し易く、また、配管内に侵入させ易い。
【００１２】
また、上記の本発明の配管用洗浄剤は、
酸として、フマル酸、クエン酸、ホウ酸、塩素化イソシアヌル酸塩、ジクロロイソシアヌル酸塩、トリクロロイソシアヌル酸、イソチオシアン酸アリル、又は過硫酸水素カリウムを含むこと、が好ましい。
このような構成を有する本発明の配管用洗浄剤は、配管内の汚れの分解及び剥離効果が最適化され、より効果的に洗浄力を向上することができる。
【００１３】
また、本発明の配管用洗浄剤は、１ｇあたりの水への溶解速度が、２５℃の水中環境下で１日間〜３日間の範囲であること、が好ましい。
このような構成を有する本発明の配管用洗浄剤は、トラップ内で所定の時間留まることができ、当該時間内の排水により複数回の洗浄効果を発揮することができる。
【発明の効果】
【００１４】
本発明によれば、トラップ内により長時間留まり、確実にトラップ近傍の汚れを洗浄可能な配管用洗浄剤を提供することができる。
【図面の簡単な説明】
【００１５】
【図１】本実施形態における配管用洗浄剤１の概要図である。
【図２】本実施形態における配管用洗浄剤１の平面図である。
【図３】本実施形態における配管洗浄剤１の側面図である。
【図４】本実施形態における配管用洗浄剤１の使用方法及び効果を示す図であって、図４（ａ）は、本実施形態の配管用洗浄剤１をトラップ１１内に投入する状態を示す模式図であり、図４（ｂ）は、トラップ１１内に留まった本実施形態の配管用洗浄剤１の効果を示す模式図であり、図４（ｃ）は、トラップ１１の汚れ１３が川下側に移動する様子を示す模式図である。
【発明を実施するための形態】
【００１６】
以下、本発明に係る配管用洗浄剤１の代表的な実施形態を、図面を参照しながら詳細に説明する。但し、本発明は図示されるものに限られるものではなく、各図面は本発明を概念的に説明するためのものであるから、理解容易のために必要に応じて寸法、比又は数を誇張又は簡略化して表している場合もある。更に、以下の説明では、同一又は相当部分には同一符号を付し、重複する説明は省略することもある。
【００１７】
１．配管用洗浄剤１の概要
図１を用いて本実施形態における配管用洗浄剤１の概要について説明する。図１は、本実施形態における配管用洗浄剤１の概要図である。本実施形態の配管用洗浄剤１は、種々の配管、特に一般的な家庭用の配管の洗浄に用いる固形型の洗浄剤であって、当該配管に構成されたＵ字状やＳ字状のトラップ１１内に投入し、該トラップ１１内に貯留された水により徐々に溶解されて洗浄効果を発揮するものである。また、本配管用洗浄剤１は、所定の寸法で形成された略棒状型であるため、上記トラップ１１内に留まり、洗浄効果を持続させることができるものである。
【００１８】
２．配管用洗浄剤１の詳細
＜配管用洗浄剤１の成分＞
本実施形態の配管用洗浄剤１は、酸化剤を主とした成分で有しており、その他発泡剤、除菌剤、滑沢剤等を適宜添加して構成されている。当該酸化剤としては、フマル酸、クエン酸、ホウ酸、塩素化イソシヌル酸塩、ジクロロイソシアヌル酸塩、トリクロロイソシアヌル酸、イソチオシアン酸アリル、又は過硫酸水素カリウム等を用いることが好ましい。なお、発泡剤を添加する場合は、炭酸塩や有機酸等を用いることが好ましい。
【００１９】
＜配管用洗浄剤の形状＞
次に、図２及び図３を用いて本実施形態における配管用洗浄剤１の形状について詳細に説明する。図２は、本実施形態における配管用洗浄剤１の平面図であって、図３は、本実施形態における配管洗浄剤１の側面図である。
図２及び図３に示すとおり、本配管用洗浄剤１は、全体として所定の寸法を有した略棒形状を成している。図３に示すように、側面形状は略矩形であり、横断面形状も略矩形である。また、図３における上面側と下面側において、長さ方向に対して垂直な方向に湾曲状を呈している（長さ方向において対向する側面が曲面状を呈している。）。
【００２０】
本実施形態における配管用洗浄剤１の形状についてより具体的には、長手方向の寸法Ｌ１は３０〜１００ｍｍ、より好ましくは３５〜７５ｍｍの範囲とすることが望ましい。また、断面の辺長Ｌ２は３〜２０ｍｍ、より好ましくは５〜１５ｍｍの範囲とすることが望ましい。また、本実施形態の様に断面形状が略矩形等の場合は双方の辺長を同寸法としてもよいし、上記寸法範囲内で相違させてもよい。なお、例えば断面形状が円形又は多数の辺で構成される多角形である場合は、直径を上記寸法範囲内とすればよい。
【００２１】
更に、本実施形態では、上述のとおり上面及び下面が曲面であるが、必ずしも当該形状を備えている必要はない。なお、他の面に対しても同様の曲面又は突起、各部のエッジに対する面取り等を施して構成してもよい。各面に対して上記形状を備えることにより、本配管用洗浄剤１が配管に構成されるトラップ１１の形状及び内部表面の面粗度等に対してより効果的に引っ掛かる。
【００２２】
本実施形態の配管用洗浄剤１は、上記形状を備えていることから、配管の川上側からトラップ１１内に流れ込む排水の水流に対抗してより当該トラップ１１内に留めることができる。より具体的には、本配管用洗浄剤１がトラップ１１の内壁に対して複数点で接触することができるため、摩擦抵抗が向上し、本配管用洗浄剤１の移動を抑制することができる。また、本配管用洗浄剤１の長手方向の寸法Ｌ１がトラップ１１の内径より大きい場合は、トラップ１１の屈曲位置で物理的に引っ掛かるため、更に確実に当該トラップ１１内に留めることが可能である。
【００２３】
＜配管用洗浄剤の溶解速度＞
本実施形態の配管用洗浄剤は、１ｇあたりの水への溶解速度が、２５℃の水中環境下で１日間〜３日間の範囲であること（１個の配管用洗浄剤が６ｇの場合は６日間〜１８日間）、が好ましい。これにより、配管用洗浄剤がトラップ内で長期間留まることができ、長期間にわたって排水管内において排水によって徐々に溶解し、継続的に洗浄効果を維持・発揮することができる。
【００２４】
更に、配管用洗浄剤の追加使用時期を把握し易くするためには、１ｇあたりの水への溶解速度が、２５℃の水中環境下で１日間、２日間又は３日間の範囲であること（１個の配管用洗浄剤が６ｇの場合は６日間、１２日間又は１８日間）、が好ましい。これにより、１週間、２週間又は３週間ごとに、配管用洗浄剤を追加使用することができる。
【００２５】
このように溶解速度を調整するには、例えば配管用洗浄剤を製造する際に、粉末状の洗浄剤組成物を打錠する圧力及び温度等の条件を制御すればよい。即ち、本実施形態の配管用洗浄剤は、例えば汎用性のある打錠機を用いる方法等により製造すればよい。
【００２６】
３．配管用洗浄剤１の使用方法
続いて、図４（ａ）（ｂ）（ｃ）を用いて、本実施形態における配管用洗浄剤１の使用方法及び効果について詳細に説明する。図４（ａ）（ｂ）（ｃ）は、本実施形態における配管用洗浄剤１の使用方法及び効果を示す図であって、図４（ａ）は、本実施形態の配管用洗浄剤１をトラップ１１内に投入する状態を示す模式図であり、図４（ｂ）は、トラップ１１内に留まった本実施形態の配管用洗浄剤１の効果を示す模式図であり、図４（ｃ）は、トラップ１１の汚れ１３が川下側に移動する様子を示す模式図である。
【００２７】
まず、使用者は図４（ａ）に示すとおり、台所や洗面所等、汚れが蓄積し易い配管を選定し、該配管に構成されているトラップ１１内に所定量の水１５が貯留されていることを確認し、シンク（図示せず）等から配管に接続される排水口から本実施形態の配管用洗浄剤１を投入する。この時、トラップ１１内に十分な水１５が貯留されていないと本配管用洗浄剤１が投入時にトラップ１１内壁に衝突し、破損する恐れがあるため注意する。
【００２８】
トラップ１１内に投入された本実施形態の配管用洗浄剤１は、図４（ｂ）に示すとおり、トラップ１１内に留まり、貯留した水１５によって徐々に溶解する。次第に溶解した本配管用洗浄剤１がトラップ１１の内壁に付着した汚れ１３に作用し、当該汚れ１３を分解しつつトラップ１１の内壁から剥離する。
【００２９】
更に、図４（ｃ）に示すとおり、上記によりトラップ１１の内壁に付着した汚れ１３が剥離した状態で、配管の川上から排水が行われると、トラップ１１内に排水が流入し、当所貯留されていた水１５と共に汚れ１３を川下側に移送させ、トラップ１１内の汚れ１３を流す。
【００３０】
なお、上述のとおり、本実施形態の配管用洗浄剤１は、排水が行われてもトラップ１１内に留まるため、上記汚れの分解及び剥離を複数回繰り返し、より確実にトラップ１１内の汚れを洗浄する。また、本配管用洗浄剤１は、溶解により所定の大きさに縮小した際、排水によって川下側に流れる。
【００３１】
以上、本発明の実施形態について図面を参照しつつ説明してきたが、本発明は、これらの実施形態に限定されるものではなく、実用新案請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用可能性】
【００３２】
本発明の配管用洗浄剤１は、所定の寸法を備えて構成された略棒状の固形洗浄剤であって、トラップ内に長時間留まり、かつ所定の時間で水に溶解することにより、従来の洗浄剤と比して、確実に当該トラップ近傍の汚れを洗浄するものである。
【符号の説明】
【００３３】
１      配管用洗浄剤
１１    トラップ
１３    汚れ
１５    水
Ｌ１    長手方向の寸法
Ｌ２    断面の辺長
【図１】
2019011498.tif 000003
【図２】
2019011498.tif 000004
【図３】
2019011498.tif 000005
【図４】
2019011498.tif 000006